(57)【要約】【課題】端末装置にネットワークを介して情報を提供する情報提供方法、情報提供システム、及び、情報提供サーバ、並びに、情報提供プログラムに関し、比較的簡単な構成で、公開する情報を制限できる情報提供方法、情報提供システム、及び、情報提供サーバ、並びに、情報提供プログラムを提供することを目的とする。【解決手段】本発明は、端末装置からの情報提供の要求を受けて、端末装置の設置位置を取得し、端末装置の設置位置に応じて予め設定されたポリシー情報を認識し、認識されたポリシー情報に応じて予め設定されたテンプレート及び編集情報を取得し、取得したテンプレートに編集情報に対応した情報を埋め込み、端末装置に提供することを特徴とする。【選択図】図１
2007233582.tif 000002
【特許請求の範囲】
【請求項１】
端末装置と、該端末装置にネットワークを介して情報を提供するサーバとを有する情報提供方法であって、
前記サーバは、前記端末装置からの情報提供の要求を受けて、前記端末装置の設置位置を取得し、
前記端末装置の設置位置に応じて予め設定されたポリシー情報を認識し、
前記認識されたポリシー情報に応じて予め設定されたテンプレート及び編集情報を取得し、
取得した前記テンプレートに前記編集情報に対応した情報を埋め込み、前記端末装置に提供することを特徴とする情報提供方法。
【請求項２】
端末装置と、端末装置にネットワークを介して情報を提供するサーバとを有する情報提供システムであって、
前記端末装置の位置を検出する位置検出手段を有し、
前記サーバは、前記端末装置からの情報提供の要求を受けて、前記端末装置の設置位置に応じて予め設定されたポリシー情報を認識し、前記認識されたポリシー情報に応じて予め設定されたテンプレート及び編集情報を取得し、取得した前記テンプレートに前記編集情報に対応した情報を埋め込み、前記端末装置に提供することを特徴とする情報提供システム。
【請求項３】
端末装置にネットワークを介して情報を提供する情報提供サーバであって、
前記端末装置の設置位置情報を取得する位置情報取得手段と、
前記端末装置からの情報提供の要求を受けて、前記位置情報取得手段で取得された前記端末装置の設置位置に応じて予め設定されたポリシー情報を認識し、前記認識されたポリシー情報に応じて予め設定されたテンプレート及び編集情報を取得し、取得した前記テンプレートに前記編集情報に対応した情報を埋め込み、前記端末装置に提供する情報提供制御手段とを有することを特徴とする情報提供サーバ。
【請求項４】
コンピュータに、
端末装置の設置位置情報を取得する位置情報取得手順と、
前記端末装置からの情報提供の要求を受けて、前記位置情報取得手順で取得された前記端末装置の設置位置に応じて予め設定されたポリシー情報を認識し、前記認識されたポリシー情報に応じて予め設定されたテンプレート及び編集情報を取得し、取得した前記テンプレートに前記編集情報に対応した情報を埋め込み、前記端末装置に提供する情報提供制御手順とを実行させる情報提供プログラム。
【発明の詳細な説明】
【技術分野】
【０００１】
本発明は情報提供方法、情報提供システム、及び、情報提供サーバ、並びに、情報提供プログラムに係り、特に、端末装置にネットワークを介して情報を提供する情報提供方法、情報提供システム、及び、情報提供サーバ、並びに、情報提供プログラムに関する。
【背景技術】
【０００２】
近年、企業または個人で、作業の効率化を図るためにポータルサイトを導入し始めている。ポータルサイトは、業務の情報のリンクを含むウェブページから構成されている。業務の情報のリンクは、利用者がホームページに設定して利用可能とされている。
【０００３】
また、最近は、ユビキタスがはやっており、いつでもどこからでも情報を利用できるようになっている。
【０００４】
しかし、利用者が作業場所を選ばないということは、意図しない人にも情報が漏洩する恐れがある。このため、公開する情報を制限する仕組みが必要となっている。
【０００５】
公開する情報を制限する仕組みとしては、
（１）処理毎にパスワードなどを設定して、利用者を制限する方法、
（２）複数のポータルサイトを容易し、利用者が利用場面に応じてポータルサイトを分ける方法、
（３）社内の利用か社外からの利用かを識別して、利用できる情報を制限する方法
などが考えられる。
なお、従来、システムのセキュリティ制御としては、情報端末のアクセス場所を特定し、特定されたアクセス場所に応じてセキュリティレベルを設定し、設定されたセキュリティレベルに応じて要求された資源に対するアクセスの可否を判定するコンピュータシステムが提案されている（特許文献１参照）。
また、ユーザコンピュータの設置位置情報を登録した管理テーブルと、コンピュータの現在位置情報とを比較し、位置情報が一致したときにアクセスを許可するコンピュータシステムが提案されていた（特許文献２参照）。
さらに、従来、データ記憶装置において、装置の設置位置に応じて記憶されたデータの読み出しを制限することにより情報漏洩を防止する技術が提案されていた（特許文献３参照）。
【特許文献１】特開平９−１５２９９０号公報
【特許文献２】特開２００５−７１０７１号公報
【特許文献３】特開２００５−１５７４７６号公報
【発明の開示】
【発明が解決しようとする課題】
【０００６】
しかるに、従来の処理毎にパスワードなどを設定して、利用者を制限する方法では、情報を制限するための処理や作業が複雑になる。
【０００７】
また、従来の複数のポータルサイトを容易し、利用者が利用場面に応じてポータルサイトを分ける方法では、利用者任せであり十分な制限は困難である。
【０００８】
さらに、従来の社内の利用か社外からの利用かを識別して、利用できる情報を制限する方法では、社内でもエリアによっては公開する情報を制限したいこともあり、これを実現するためにはエリア毎にネットワークドメインを導入する必要があり、大がかりな仕組みが必要となるなどの問題点があった。
【０００９】
本発明は上記の点に鑑みてなされたもので、比較的簡単な構成で、公開する情報を制限し、システムのセキュリティ性を向上できる情報提供方法、情報提供システム、及び、情報提供サーバ、並びに、情報提供プログラムを提供することを目的とする。
【課題を解決するための手段】
【００１０】
本発明は、端末装置からの情報提供の要求を受けて、端末装置の設置位置を取得し、端末装置の設置位置に応じて予め設定されたポリシー情報を認識し、認識されたポリシー情報に応じて予め設定されたテンプレート及び編集情報を取得し、取得したテンプレートに編集情報に対応した情報を埋め込み、端末装置に提供することを特徴とする。
【発明の効果】
【００１１】
本発明によれば、端末装置からの情報提供の要求を受けて、端末装置の設置位置に応じて予め設定されたポリシー情報を認識し、認識されたポリシー情報に応じて予め設定されたテンプレート及び編集情報を取得し、取得したテンプレートに編集情報に対応した情報を埋め込み、端末装置に提供することにより、端末装置の設置位置情報を取得するだけで、端末装置への情報の公開を制限できるため、比較的簡単な仕組みでシステムのセキュリティ性を向上させることができる。また、テンプレートに編集情報に応じた情報を埋め込み編集した情報を端末装置に提供することができる。
【発明を実施するための最良の形態】
【００１２】
〔システム構成〕
図１は本発明の一実施例のシステム構成図を示す。
【００１３】
本実施例の情報提供システム１００は、端末装置１１１と、端末装置１１１にネットワーク１１２を介して情報を提供するサーバ１１３とを有する構成とされており、端末装置１１１にサーバ１１３からネットワーク１１２を介してポータル情報を提供するときに、端末装置１１１の位置情報を取得し、取得した位置情報に基づいて端末装置１１１に提供するポータル情報を制御している。
【００１４】
端末装置１１１は、例えば、携帯型コンピュータ、携帯電話機、ＰＤＡなどであり、サーバ１１３の情報を参照するためのブラウザソフト１２１、及び、ユーザを認証するための認証情報１２３、並び、現在位置を検出するための位置検出手段１２２を有する。
【００１５】
ブラウザソフト１２１は、サーバ１１３から提供されるポータル情報を表示画面に表示するためのプログラムである。
【００１６】
位置検出手段１２２は、例えば、ＧＰＳ（Global  Positioning  System）を用いて現在位置情報を取得する測位システムである。位置検出手段１２２で検出された位置情報は、ブラウザソフト１２１の立ち上げ時などにサーバ１１３に送信する。認証情報１２３は、ユーザを認証するための認証情報であり、例えば、ＩＤ、パスワードを含む情報である。
【００１７】
サーバ１１３は、全体制御手段１３１、プレゼンス制御手段１３２、位置情報取得手段１３５、ポリシー制御手段１３３、自動編集手段
１３４、データベース１４０から構成されている。
【００１８】
全体制御手段１３１は、サーバ１１３の全体制御を行う手段である。
【００１９】
プレゼンス制御手段１３２は、端末装置１１１から取得した位置情報に基づいて端末装置１１１に提供する情報を制御する。
【００２０】
位置情報取得手段１３５は、プレゼンス制御手段１３２を通して、端末装置１１１から位置情報を取得し、データベース１４０を参照することにより、エリアを決定する。
【００２１】
ポリシー制御手段１３３は、データベース１４０に登録されたポリシー情報に基づいてユーザが利用可能なポータル情報を決定する。
【００２２】
自動編集手段１３４は、ユーザによりデータベース１４０に予め登録されたテンプレートにしたがってポータル情報を貼り付けることによりユーザに提供するポータル情報の自動編集を行う。
【００２３】
データベース１４０は、エリア情報データベース１４１、プレゼンス情報データベース１４２、監視定義情報１４３、ポリシー情報データベース１４４、テンプレートデータベース１４５、ポータル情報データベース１４６、ポータル情報記憶部１４７から構成されている。
【００２４】
図２はエリア情報データベース１４１のデータ構成図を示す。
【００２５】
エリアコードデータベース１４１は、上下左右の座標情報及びエリアコードから構成されている。上下左右の座標情報は、それぞれ、ＧＰＳにより取得される経度と緯度の情報から構成されている。エリアコードは、上下左右の座標に囲まれる領域内の位置情報のエリアを識別するための情報である。なお、図２において、上下左右の座標情報がないエリアコードＣはエリア外を管理するためのコードである。
【００２６】
例えば、上下左右の座標情報が（ＡＸ１,ＡＹ１）、（ＡＸ２,ＡＹ２）、（ＡＸ３,ＡＹ３）、（ＡＸ４,ＡＹ４）で囲まれる領域内に存在する端末装置１１１は、エリアコードＡに存在すると識別され、上下左右の座標情報が（ＢＸ１,ＢＹ１）、（ＢＸ２,ＢＹ２）、（ＢＸ３,ＢＹ３）、（ＢＸ４,ＢＹ４）で囲まれる領域内に存在する端末装置１１１は、エリアコードＢに存在すると識別される。
【００２７】
図３はプレゼンス情報データベース１４２のデータ構成図を示す。
【００２８】
プレゼンス情報データベース１４２は、端末ＩＤ、エリアコード、動作フラグ、更新日時などの情報から構成されている。
【００２９】
端末ＩＤは、端末装置１１１を識別するための情報であり、端末装置１１１から供給される認証情報１２３により識別される。
【００３０】
動作フラグは、端末ＩＤの端末装置１１１へのプレゼンスが有効であるか、無効であるかを示すためのフラグである。
【００３１】
更新日時は、プレゼンスが有効である日時を示している。
【００３２】
図４は監視定義情報１４３のデータ構成図を示す。
【００３３】
監視定義情報１４３は、監視タイマ値、有効時間から構成されている。監視タイマ値は、端末装置１１１からの処理依頼を監視する時間を示している。有効時間は、端末装置１１１からのプレゼンス情報の有効とする時間を示している。
【００３４】
図５はポリシー情報データベース１４４のデータ構成図を示す。
【００３５】
ポリシー情報データベース１４４は、端末ＩＤ、エリアコード、テンプレートコード、編集コードから構成されている。
【００３６】
テンプレートコードＴＮ１、ＴＮ２は、使用するテンプレートを識別するためのコードである。編集コードＥ1、Ｅ2は、テンプレートの各編集位置Ｃ1、Ｃ2、及び、編集位置Ｃ1、Ｃ2になどに埋め込む、情報が存在するアドレスＰ1、Ｐ2を指定するためのコードである。
【００３７】
図６はテンプレートデータベース１４５のデータ構成図を示す。
【００３８】
テンプレートデータベース１４５は、テンプレートコード及びテンプレートデータから構成されている。テンプレートデータは、テンプレートコードにより特定されるテンプレートのデータを示している。
【００３９】
図７はポータル情報データベース１４６のデータ構成図を示す。
【００４０】
ポータル情報データベース１４６は、編集位置情報、編集コード、アドレスから構成されている。
【００４１】
編集位置情報は、テンプレートの編集位置を示している。アドレスＰ1、Ｐ2は、テンプレートの対応する編集位置に貼り付けられる情報のアドレスを示している。このアドレスを参照することにより各編集位置Ｃ1、Ｃ2に貼り付けられる情報が格納されたアドレスを認識できる。
【００４２】
図８はポータル情報記憶部１４７のデータ構成図を示す。
【００４３】
ポータル情報記憶部１４７は、アドレス、表示情報から構成されている。アドレスＰ1、Ｐ2は、表示情報Ｄ1、Ｄ2の格納アドレスを示している。表示情報Ｄ1、Ｄ2は、テンプレートの編集位置Ｃ1、Ｃ2に貼り付けられる情報である。
【００４４】
なお、本実施例では、説明を簡単にするために、ポータル情報記憶部１４７から情報を取得する構成について説明を行っているが、アドレスＰ1、Ｐ2をＵＲＬとすることにより他のサーバなどから表示すべき情報を取得するようにしてもよいことは言うまでもない。
【００４５】
図９はデータベースの関連を説明するための図を示す。
【００４６】
サーバ１１３は、端末装置１１１の認証情報１２３であるユーザＩＤ及びパスワードＰ２により端末ＩＤＴ2を識別し、プレゼンス情報データベース１４２を参照する。
【００４７】
また、サーバ１１３は端末装置１１１がエリアコードＡのエリアコードＢに移動すると、端末装置１１１から供給される位置情報に基づいてエリアコードＢを認識し、プレゼンス情報データベース１４２の端末ＩＤＴ2のエリアコードをＢに書き換える。
【００４８】
また、プレゼンス情報データベース１４２の更新日時は、監視定義情報１４３に設定された監視タイマ値、有効時間などに基づいて決定され、プレゼンス情報の動作フラグが決定される。例えば、現在時刻が更新日時を超えた場合には、プレゼンス情報の動作フラグは、無効とされる。
【００４９】
プレゼンス情報に設定されたエリアコードによりポリシー情報データベース１４４が決定されている。例えば、端末ＩＤＴ2は、エリアコードがＡの場合、テンプレートコードＴＮ１のテンプレートを用いて編集コードＥ１を用いて表示画面が編集され、エリアコードがＢでは、テンプレートコードＴＮ２のテンプレートを用いて編集コードＥ２を用いて表示画面が編集される。
【００５０】
また、ポータル情報データベース１４６によって、テンプレートＴＮ２の所定の編集位置Ｃ１に表示される情報が取得される。図９では、ＵＲＬが指定されており、ＵＲＬにより編集位置Ｃ1に表示される情報が取得され、テンプレートコードＴＮ２のテンプレートの編集位置Ｃ1に表示される。
【００５１】
次に、端末装置１１１及びサーバ１１３の処理について説明する。
【００５２】
図１０は端末装置１１１の処理フローチャートを示す。
【００５３】
端末装置１１１は、ステップＳ１−１で位置検出手段１２２により検出した位置情報をサーバ１１３に通知する。端末装置１１１はステップＳ１−２で位置情報をサーバ１１３への通知が完了すると、ステップＳ１−３でポータルＵＲＬをサーバ１１３に通知し、ステップＳ１−４でサーバ１１３からのポータル情報が提供されるのを待つ。
【００５４】
なお、端末装置１１１は、ステップＳ１−２で位置情報をサーバ１１３への通知が完了できなかった場合には、ステップＳ１−５でエラー表示を行う。
【００５５】
端末装置１１１は、ステップＳ１−６でサーバ１１３からエラー情報を受信すると、ステップＳ１−５でエラー情報を表示する。また、端末装置１１１は、ステップＳ１−６でサーバ１１３からポータル情報を受信すると、ステップＳ１−８でポータル情報を表示する。端末装置１１１は、ステップＳ１−９でポータル情報の利用の終了操作が行われるまで、ポータル情報を表示する。
【００５６】
図１１はサーバ１１３の処理フローチャートを示す。
【００５７】
サーバ１１３は、ステップＳ２−１で、まず、監視タイマを起動する。サーバ１１３は、ステップＳ２−２で端末装置１１１からの処理依頼を監視しており、ステップＳ２−３で監視タイマに設定されている所定時間、処理依頼がない場合には、ステップＳ２−４で現在日時の情報を取得する。
【００５８】
サーバ１１３は、ステップＳ２−５でプレゼンス情報データベース１４２の更新日時をチェックする。サーバ１１３は、ステップＳ２−６で現在日時が更新有効日時を過ぎていれば、ステップＳ２−７でプレゼンス情報データベース１４２の動作フラグを無効とする。
【００５９】
サーバ１１３は、ステップＳ２−８で全ての端末ＩＤについてステップＳ２−６〜Ｓ２−７を実行し、処理を終了する。
【００６０】
なお、サーバ１１３は、ステップＳ２−２で端末装置１１１から処理依頼があった時には、ステップＳ２−９でプレゼンス処理を実行する。
【００６１】
図１２はプレゼンス処理の処理フローチャートを示す。
【００６２】
プレゼンス処理において、サーバ１１３は、まず、ステップＳ３−１で処理依頼をした端末装置１１１がプレゼンス情報データベース１４１登録されているか否かを判定する。
【００６３】
サーバ１１３は、ステップＳ３−１で処理依頼をした端末装置１１１がプレゼンス情報データベース１４２に登録されていない場合には、ステップＳ３−２でエラーが画面を作成して、端末装置１１１に通知する。
【００６４】
また、サーバ１１３は、ステップＳ３−１で処理依頼をした端末装置１１１がプレゼンス情報データベース１４２に登録されている場合には、ステップＳ３−３で処理依頼要求がポータル画面を要求する依頼か、プレゼンスを通知する要求である否かを判定する。
【００６５】
サーバ１１３は、ステップＳ３−３で端末装置１１１からの処理依頼がプレゼンスを通知する要求である場合には、ステップＳ３−４で端末装置１１１から供給された位置情報に基づいてエリア情報データベース１４１を参照して、端末装置１１１が存在するエリアを特定する。次にサーバ１１３は、ステップＳ３−５でプレゼンス情報データベース１４２に端末装置１１１のエリアコードおよびエリアの動作フラグを有効とする設定をして登録する。
【００６６】
以上により端末装置１１１がポータル画面を表示できるようになる。
【００６７】
また、サーバ１１３は、ステップＳ３−３で端末装置１１１からの処理依頼がポータル画面を要求する依頼である場合には、ステップＳ３−６でポータル情報表示処理を実行する。
【００６８】
図１３はポータル情報表示処理の処理フローチャートを示す。
【００６９】
ポータル情報表示処理において、サーバ１１３は、まず、ステップＳ４−１で処理依頼があった端末装置１１１の端末ＩＤに基づいてプレゼンス情報データベース１４２を参照して、エリアコードを取得する。
【００７０】
次に、サーバ１１３は、ステップＳ４−２でポリシー情報データベース１４４を参照して、エリアコードが一致するテンプレートコードと編集コードを取得する。サーバ１１３は、ステップＳ４−３でポリシー情報データベース１４４に定義されていない場合には、ステップＳ４−４でエラー画面を端末装置１１１に通知する。
【００７１】
また、サーバ１１３は、ステップＳ４−３で端末装置１１１がポリシー情報データベース１４４に定義されていれば、ステップＳ４−５で編集処理を実行する。
【００７２】
図１４は編集処理の処理フローチャートを示す。
【００７３】
編集処理においてサーバ１１３は、まず、ステップＳ５−１でポリシー情報データベース１４４に設定されたテンプレートコードに基づいてテンプレートデータベース１４５を参照し、テンプレートデータベース１４５に対応するテンプレートコードが存在するか否かを判定する。サーバ１１３は、ステップＳ５−１でテンプレートデータベース１４５にテンプレートが存在すれば、ステップＳ５−２でテンプレートデータベース１４５からテンプレートを呼び出す。
【００７４】
次にサーバ１１３は、ステップＳ５−３でテンプレートの編集位置を決定し、ポータル情報を貼り付ける。このとき、サーバ１１３は、テンプレートの編集位置とポリシー情報データベース１４４の編集コードとに基づいてポータル情報データベース１４６を参照し、貼り付ける情報のＵＲＬを取得し、取得したＵＲＬに基づいてポータル情報記憶部１４７を参照して、ポータル情報記憶部１４７から対応する情報を読み出し、テンプレートの所定の編集位置に貼り付ける。
【００７５】
サーバ１１３は、ステップＳ５−４で順次にテンプレートの編集位置を変更しつつ情報が貼り付ける処理をステップＳ５−５で編集が終わるまで実行する。
【００７６】
サーバ１１３は、ステップＳ５−５でテンプレートの編集が終わると、ステップＳ５−６でポータル画面を端末装置１１１に通知する。
【００７７】
図１５は編集処理の動作を説明するための図を示す。
【００７８】
図１５（Ａ）は表示画面、図１５（Ｂ）はテンプレートのｈｔｍｌ記述、図１５（Ｃ）は右表示部Ｄｒのｈｔｍｌ記述、図１５（Ｄ）は左表示部Ｄｌのｈｔｍｌ記述、図１５（Ｅ）はポータル情報を示している。
【００７９】
編集処理では、図１５（Ｅ）に示すポータル情報に基づいて図１５（Ｃ）に示す右表示部Ｄｒのｈｔｍｌ記述、及び、図１５（Ｃ）に示す左表示部Ｄｌのｈｔｍｌ記述に編集位置Ｃ0、Ｃ1、Ｃ2に表示すべき情報のＵＲＬなどが埋め込まれる。図１５（Ｂ）に示すテンプレートのｈｔｍｌ記述、及び、図１５（Ｃ）、図１５（Ｄ）に示すテンプレートを構成しており、編集位置Ｃ0、Ｃ1、Ｃ2に表示すべき情報が埋め込まれた表示部Ｄｒ、Ｄｌのｈｔｍｌ記述に基づいて図１５（Ａ）に示すような表示画面が編集される。
【００８０】
なお、本実施例では、端末装置１１１の位置をＧＰＳにより検出したが、ＲＦＩＤなどを用いて検出するようにしてもよい。
【００８１】
図１６はエリア検出方法の第１変形例の動作説明図を示す。
【００８２】
本変形例では、図１６（Ａ）に示すようにエリアＡ、Ｂに読取装置２２１、２２２、２２３、２２４、２２５、２２６を設ける。また、端末装置１１１あるいはユーザにＲＦＩＤ２２１を持たせる。
【００８３】
読取装置２２１、２２２、２２３、２２４、２２５、２２６は、ＲＦＩＤ２１１に記憶されたＩＤを読み取り、サーバ１１３に提供する。サーバ１１３は、エリア情報データベース１４１として図１６（Ｂ）に示すようなデータを持っており、読取装置２２１、２２２、２２３、２２４、２２５、２２６での読み取り結果に基づいてＲＦＩＤ２１１が存在するエリアコードを決定する。
【００８４】
例えば、ＲＦＩＤ２２１のＩＤが読取装置２１１だけで検出された場合には、エリアコードＡであると判断し、ＲＦＩＤ２２１のＩＤが読取装置２１５だけで検出された場合には、エリアコードＢであると判断し、ＲＦＩＤ２２１のＩＤが読取装置２１１、２１２，２１３、２１４、２１５、２１６のいずれでも検出されない場合には、エリアコードＣであると判断する。
【００８５】
図１７はエリア検出方法の第２変形例の動作説明図を示す。
【００８６】
本変形例では、図１７（Ａ）に示すようにエリアＡ、Ｂ毎に読取装置２３１、２３２を設ける。また、ユーザにＩＣカード２４１を持たせる。
【００８７】
読取装置２３１、２３２は、ＩＣカード２４１に記憶されたＩＤを読み取り、サーバ１１３に提供する。サーバ１１３は、エリア情報データベース１４１として図１７（Ｂ）に示すようなデータを持っており、読取装置２３１、２３２での読み取り結果に基づいてＩＣカード２４１が存在するエリアコードを決定する。
【００８８】
例えば、ＩＣカード２４１の読取装置２３１で読み取られた場合には、エリアコードＡであると判断し、ＩＣカード２４１が読取装置２３２で読み取られた場合には、エリアコードＢであると判断し、ＩＣカード２４１が読取装置２３１、２３２のいずれでも読み取られていない場合には、エリアコードＣであると判断する。
【００８９】
なお、エリア検出方法は、上記の構成に限定されるものではなく、種々の変形例が考えられ、要はユーザ、あるいは、端末装置１１１の位置に基づいてエリアコードを決定することができれば、上記の位置検出方法に限定されるものではない。
【００９０】
図１８は本発明の一実施例の適用例を説明するための図を示す。
【００９１】
本適用例は、社内業務で扱う情報をユーザ、あるいは、端末装置１１１の位置に応じて制御しようとするものであり、社内システム４１１により提供される情報として、業務Ａ、業務Ｂ、部門Ａ情報、部門Ｂ情報、社内情報、公開情報などが存在する。
【００９２】
例えば、部門Ａに存在する端末装置１１１では業務Ａ、部門Ａ情報、社内情報、公開情報が参照できる。また、会議室に存在する端末装置１１１では、社内情報、公開情報が参照できる。さらに、部門Ｂに存在する端末装置１１１では、部門Ｂ情報、社内情報、公開情報を参照できる。さらに、社外に存在する端末装置１１１では、公開情報のみを参照できる。
【００９３】
以上のように、端末装置１１１の存在するエリアに応じて参照可能な情報を制御できる。
【００９４】
また、同じエリアであってもユーザ４２１により参照できる情報を制限するようにしてもよい。例えば、図１８においては、部門Ｂにおいてユーザ４２１は、業務Ｂ、部門Ｂ情報、社内情報、公開情報を参照可能とされている。さらに、端末装置１１１又はユーザ４２１の存在するエリアにより参照できる情報を制限し、更に、ユーザ４２１により参照できる情報を制限するようにしてもよい。
【００９５】
なお、本発明は上記実施例に限定されるものではなく、本発明の趣旨を逸脱しない範囲で種々の変形が可能であることは言うまでもない。
【図面の簡単な説明】
【００９６】
【図１】本発明の一実施例のシステム構成図である。
【図２】エリア情報データベース１４１のデータ構成図である。
【図３】プレゼンス情報データベース１４２のデータ構成図である。
【図４】監視定義情報１４３のデータ構成図である。
【図５】ポリシー情報データベース１４４のデータ構成図である。
【図６】テンプレートデータベース１４５のデータ構成図である。
【図７】ポータル情報データベース１４６のデータ構成図である。
【図８】ポータル情報記憶部１４７のデータ構成図である。
【図９】データベースの関連を説明するための図である。
【図１０】端末装置１１１の処理フローチャートである。
【図１１】サーバ１１３の処理フローチャートである。
【図１２】プレゼンス処理の処理フローチャートである。
【図１３】ポータル情報表示処理の処理フローチャートである。
【図１４】編集処理の処理フローチャートである。
【図１５】編集処理の動作を説明するための図である。
【図１６】エリア検出方法の第１変形例の動作説明図である。
【図１７】エリア検出方法の第２変形例の動作説明図である。
【図１８】本発明の一実施例の適用例を説明するための図である。
【符号の説明】
【００９７】
１００  情報提供システム
１１１  端末装置、１１２  ネットワーク、１１３  サーバ
１２１  ブラウザソフト、１２２  位置検出手段、１２３  認証情報
１３１  全体制御手段、１３２  プレゼンス制御手段、１３３  ポリシー制御手段
１３４  自動編集手段、１３５  位置情報取得手段
１４０  データベース
１４１  エリア情報データベース、１４２  プレゼンス情報データベース
１４３  監視定義情報、１４４  ポリシー情報データベース
１４５  テンプレートデータベース、１４６  ポータル情報データベース
１４７  ポータル情報記憶部
【図１】
2007233582.tif 000003
【図２】
2007233582.tif 000004
【図３】
2007233582.tif 000005
【図４】
2007233582.tif 000006
【図５】
2007233582.tif 000007
【図６】
2007233582.tif 000008
【図７】
2007233582.tif 000009
【図８】
2007233582.tif 000010
【図９】
2007233582.tif 000011
【図１０】
2007233582.tif 000012
【図１１】
2007233582.tif 000013
【図１２】
2007233582.tif 000014
【図１３】
2007233582.tif 000015
【図１４】
2007233582.tif 000016
【図１５】
2007233582.tif 000017
【図１６】
2007233582.tif 000018
【図１７】
2007233582.tif 000019
【図１８】
2007233582.tif 000020